(57)【要約】      （修正有）【課題】既存の家屋に傷を付けずに設置でき、避難スペースを無用に空けておかなくても緊急避難時には直ちに避難スペースを確保でき、家屋が倒壊時にも装置が破壊されにくく、装置が倒れても避難スペースを確保できる室内緊急避難装置を提供する。【解決手段】家屋内のコ−ナ−部に設置できる全体が直角二等辺三角柱形状のフレームを備えた装置本体の上部に、天井を押さえて設置を行う押圧装置Ｐを設ける。主回転テレビ置き台１２は、装置本体内に位置しテレビを置くことができる状態から軸柱の周りに回転水平移動して装置本体外へ押された際に、軸柱１３を折らないような安全装置を有する。装置本体の上面に設けられ内側からの弱い力で開く天井脱出用板３５と、前記装置本体のフレームには前記直角二等辺三角の斜辺の部分に台形状の張出部Ｂを形成し、この張出部の各辺に対応して設ける主回転装置扉１５、副回転扉１６および副回転扉補助扉とを有する。【選択図】図１
2010043490.tif 000002
【特許請求の範囲】
【請求項１】
家屋内のコ−ナ−部に設置できる全体が直角二等辺三角柱形状のフレームを備えた装置本体と、この装置本体の上部に設けられ天井を押さえて設置を行う押圧装置と、前記装置本体内に収納されテレビを置くことができる状態から軸柱の周りに回転水平移動して前記装置本体外へ引き出された状態になる主回転テレビ置き台と、を有することを特徴とする室内緊急避難装置。
【請求項２】
前記引き出された状態になる主回転テレビ置き台が、下から押された際に、前記軸柱を折らないように、根本から容易に屈曲する安全装置を有することを特徴とする請求項1に記載の室内緊急避難装置。
【請求項３】
前記装置本体の上面に設けられ、内側からの弱い力で開く天井脱出用板と、前記装置本体のフレームには前記直角二等辺三角の斜辺の部分に、台形状の張出部を形成し、この張出部の各辺に対応して設ける、主回転装置扉、副回転扉、および副回転扉補助扉と、を有することを特徴とする請求項1又は２に記載の室内緊急避難装置である。    
【発明の詳細な説明】
【技術分野】
【０００１】
この発明は、室内に設けられ、地震などの際に内部に人間が逃げ込むことで、家屋の倒壊から人命を守る緊急避難装置に関する。
【背景技術】
【０００２】
一般に地震が発生したら避難方法として、机やテ−ブルの下に潜って落下物から身を守るよう言われているが、一般に使用されている机やテ−ブルは強度、避難用スペ−スが十分では無く、安心して避難出来る緊急用避難スペ−スが望まれている。
東海地震  東京直下型地震が近い将来来るであろうと予想されている現在では、古い建物などに耐震修理工事が進められているが、費用などの件でまだほんの一部しか実行されていない。倒壊した木造建物の下敷きになっても最低限命だけでも助かるよう望んでいるのが現状である。地震緊急避難放送が実施されている現在、事前に安心して避難出来るスペ−スが望まれている。            
下記特許文献１に記載の緊急避難用構造体は、本来壊れにくい家屋内のコ−ナ−部に、複数の壁部材と直角二等辺をした天井部材と床部材を、ボルトやワイヤ−を用いて壁面に取り付ける構造である。
【０００３】
この緊急避難用構造体によれば、人間は座ったりせずに立ったままの姿勢で逃げ込む事が出来る。また、壁面に沿ってそれぞれの立設される複数の壁部材と、これらの壁部材と連接して配置された天井部材とから成る簡素な構造である為、邪魔になりにくく、日常生活に支障を来す事も少ない。さらに、壁材、天井部材、床部材、扉によって包囲された構造と成る為、避難用空間の強度がさらに大幅に向上する。また、前面に蝶番を用いてドアを付け、なおかつドアに鍵を付けて有るので、地震発生時の避難場所としての他、強盗などが侵入した時に身を隠す為の避難場所としても利用可能となる。そして、ドアには覗き窓が付いているので、外部の様子が見ることが出来る。さらに、扉の外部の鍵穴に所定の鍵を差し込んで回す事により解錠する事が出来る。
【特許文献１】特開２００７−２６１９
【発明の開示】
【発明が解決しようとする課題】
【０００４】
しかしながら前記特許文献１は、以下の課題を有する
（１）装置を設置するために、家屋の既存の壁にボルトで取り付けたり、ワイヤ−を張るネジ等の穴により壁などに穴を空けたりする必要があるので、壁に傷を付け、家屋の売却、引っ越し等取り外す場合など、損傷部分を元に戻す為に費用や時間等を必要とし、賃貸の場合は設置出来ない事もある。
【０００５】
（２）前記特許文献１の緊急避難用構造体が設置される家屋のコ−ナ−部は、通常、日常用品等物を置く習慣になっており、長年の慣れの間に、緊急避難用構造体の中や前や隣に物を置かれる事も想定される。このため、いざ地震Ｐ波関知機器、又は緊急避難放送を聞いて、緊急避難用構造体に入る時に物品等が障害となり、ドアが全開せずスム−ズに中に入れない事も予想される。
【０００６】
（３）また、強度の地震で緊急避難用構造体が家屋と一緒に倒壊した場合、衝撃で割れたり折れたりする恐れがある。
（４）何よりも家屋が倒壊し緊急避難用構造体が横倒しになった時に、二等辺三角形のドア部分が下向きに倒れる事が十分考えられ、この脱出用のドアが開かず、外部の力を借りないと脱出不可能の事態が考えられる。最悪の場合には、その後の火災などにより命が脅かされる危険も考えられる。
【０００７】
この発明は、以上の問題点を解決するために、（１）既存の家屋に傷を付けずに設置でき、（２）避難スペースを無用に空けておかなくても緊急避難時には直ちに避難スペースを確保でき、（３）家屋が倒壊時にも装置が破壊されにくく、（４）装置が倒れても避難スペースを確保できる、室内緊急避難装置を提供することを目的とする。
【課題を解決するための手段】
【０００８】
以上の課題を解決するために、第一発明は、家屋内のコ−ナ−部に設置できる全体が直角二等辺三角柱形状のフレームを備えた装置本体と、この装置本体の上部に設けられ天井を押さえて設置を行う押圧装置と、前記装置本体内に収納されテレビを置くことができる状態から軸柱の周りに回転水平移動して前記装置本体外へ引き出された状態になる主回転テレビ置き台と、を有することを特徴とする室内緊急避難装置である。
【０００９】
また、第二発明は、さらに、引き出された状態になる主回転テレビ置き台が、下から押された際に、前記軸柱を折らないように、根本から容易に屈曲する安全装置を有することを特徴とする室内緊急避難装置である。
また、第三発明は、さらに、前記装置本体の上面に設けられ、内側からの弱い力で開く天井脱出用板と、前記装置本体のフレームには前記直角二等辺三角の斜辺の部分に、台形状の張出部を形成し、この張出部の各辺に対応して設ける、主回転装置扉、副回転扉、および副回転扉補助扉と、を有することを特徴とする室内緊急避難装置である。
【発明の効果】
【００１０】
第一、第二、又は第三発明によれば、家屋内のコ−ナ−部にぴったりと設置できる直角二等辺三角柱形状の装置本体と、天井を押さえて設置を行う押圧装置と、により、既存の家屋に傷を付けずに設置できる。
また、装置本体内に収納された状態の主回転テレビ置き台に、通常は、テレビなどを置くことで、避難スペースを普段から無用に空けておかなくても済む。そして、緊急避難時には、この主回転テレビ置き台を、テレビなどを置いた状態のまま、軸柱の周りに回転水平移動して、装置本体外へ引き出した状態にすれば、装置本体内部に直ちに避難スペースを確保できる。
【００１１】
第二、又は第三発明によれば、さらに、装置本体が倒れる場合には、引き出された状態になる主回転テレビ置き台が、床などにより下から押されると、安全装置により根本から容易に屈曲する。よって、引き出された状態になる主回転テレビ置き台が、軸柱を折ることがなく、装置本体が破壊されるリスクを小さくできる。
【００１２】
第三発明によれば、さらに、装置が倒れても、天井脱出用板、主回転装置扉、副回転扉、または副回転扉補助扉により、避難スペースを確保できる。
【発明を実施するための最良の形態】
【００１３】
この発明の実施形態を、図１から図１２に示す。
［概略全体］
図１，図2に示すように、この室内緊急避難装置Ｓの概略全体の形状は、直角二等辺三角柱形状を有する。すなわち、図４，図５に示すように、この装置本体のフレームＦは、家屋内のドア５９（図１）を避けた位置で、壁５４、床５６、天井５５に囲まれたコ−ナ−部に設置できるように、全体が直角二等辺三角柱形状をなす。フレームＦは、所定の強度を保つ構成を有する。このフレームＦの回りは、化粧木材で覆う。
【００１４】
この装置本体の上部には、押圧装置Ｐが設けられ、天井５５を押さえて装置本体の設置を行う。また、装置本体内には主回転テレビ置き台１２が設けられ、通常は装置本体内に収納され、テレビＴ（図３）を置くことができる状態となる。この状態の主回転テレビ置き台１２は、通常状態ロック装置Ｒ１（図１，図９）でロックされる。
【００１５】
緊急避難時には、主回転テレビ置き台１２は、軸柱１３の周りに回転水平移動して、装置本体外へ引き出された状態になる。引き出された状態で、主回転テレビ置き台１２が不安定にならないように、下部自動ロック装置Ｒ２および上部自動ロック装置Ｒ３が設けられる（図２、図１０、図１１）。
【００１６】
さらに、引き出された状態になる主回転テレビ置き台１２が、建物の倒壊時などには、床５６によって下から押される。その際に、軸柱１３を折らないように、根本から容易に屈曲する安全装置ＳＦ（図２、図７）を有する。
主回転テレビ置き台１２が装置本体外へ引き出され、装置本体内部にできた避難空間６５の中に入った人間（図３）は、副回転扉１６（図２）を手動で閉める。これらの主回転装置扉１５および副回転扉１６は、内側から取り外せる脱出用取り外し鋼板窓３６（図２）を有して構成される。
【００１７】
また、装置本体の上面には天井脱出用板３５が設けられ、内側からの弱い力で開く。さらに、装置本体のフレームＦには、上下方向の2カ所において、直角二等辺三角の斜辺の部分に、台形状の張出部Ｂが形成される。この張出部Ｂの各辺に対応して、前述した主回転装置扉１５、副回転扉１６、および副回転扉補助扉２０と、を設け、脱出のためのスペースを確保する。
【００１８】
［強度構成］
室内緊急避難装置Ｓは、倒壊した木造家屋の重量にも耐えられるように、フレームＦ（図４，図５）を肉厚のＨ鋼２や柱角パイ１を使用し、溶接も高強度の衝撃、引張荷重に耐えられる高強度溶接をする。Ｈ鋼連結材９も高強度の衝撃、引張荷重に耐えるよう鋼板、ボルト等を使用し組み立てる。重要コ−ナ−の内角は、筋交角パイ５や筋交い鋼板７で筋交をし高強度溶接する。
【００１９】
壁５４に面する二面は、特に強度を強める為、角鋼材のクロス筋交角パイ８をクロスにして取り付け、筋交い鋼板７を溶接し、また、分解出来るようクロス筋交角パイ８をクロス筋交固定ボルト６で取り付ける。
なお、以上のような金属製のフレームＦ回りは、化粧木材を使用して美的なデザイン（図１，図２）とする。
【００２０】
［押圧装置Ｐ］
室内緊急避難装置Ｓは、転倒防止用天井押さえ台１０と天井押え調整ボルト１１で、下から天井（代表図５５）に押しつける押圧装置Ｐを有し、転倒しにくい設置構造とする。このため、壁５４、床５６、天井５５には、クギ1本等打たないので、室内緊急避難装置Ｓの撤去後に傷が付かない。
【００２１】
［主回転テレビ置き台１２］
主回転テレビ置き台１２は、底面を主テレビ置台骨材６１および２本の円柱Ｈ鋼柱連結材６２に支えられる。主テレビ置台骨材６１および２本の円柱Ｈ鋼柱連結材６２は直角三角形を形成し、その直角の位置で円柱軸柱１３に固定される。
【００２２】
そして、作動テコ２１を手前に引くだけで、主回転テレビ置き台１２が惰性でロック位置まで移動し、自動ロックＨ鋼柱３が固定位置で上下で自動ロックされる。惰性による移動は、例えば、円柱軸柱１３の回転軸の角度を傾けておくことで、行われる。この移動により、いわばワンタッチで避難空間６５（図５）を作る。同時に、この動きにより、図示しないスイッチが入り、自動点灯ライト５８（図１）も自動点灯する。
【００２３】
テレビ等置き台１２には、自動ロックＨ鋼柱３と主回転装置扉１５が一体に設けられ、上下で自動ロックを行う自動ロック装置Ｒ２，Ｒ３（図１０，図１１）も組込まれる。それらの重量が円柱軸柱１３に集中するので、円柱軸柱１３の軸受には、重量に耐えられる太さのベアリング３０、円柱軸柱軸ボルト３１（図７）が用いられる。
【００２４】
［通常状態ロック装置Ｒ１］
通常状態ロック装置Ｒ１は、図９（Ａ）に示すように、主回転テレビ置き台１２の上に一体的に設けられた作動用円柱２２の頂部に、蝶番２４を介して作動テコ２１が設けられる。この作動テコ２１に一端が取り付けられたロック解除ワイヤー２３は、他端がフック２５に取り付けられる。フック２５はスプリング２７により、ロック解除ワイヤー２３から引っ張られる方向とは反対方向へ、付勢される。
【００２５】
そして、図９（Ｂ）に示すように、作動テコ２１を手前に引くと、蝶番２４を軸に作動テコ２１が持ち上がり、ロック解除ワイヤー２３で、フック２５がフック受け２６から外れ、ロックが解除される。
【００２６】
［地震Ｐ波感知機器］
市販の地震Ｐ波感知機器は室内の振動の無い所に取り付ける。
【００２７】
［テレビ置き台の安全装置ＳＦ］
この室内緊急避難装置Ｓは、木造家屋が倒壊した時は同時に倒れるが、主回転テレビ置き台１２は、装置の外部に突出しており、破壊されやすい。この破壊が、避難装置の内部のスペースに悪影響を与えないように安全装置ＳＦ（図７）が備えられる。
【００２８】
すなわち、家屋の倒壊などにより、この室内緊急避難装置Ｓが倒れかけ、床などにより主回転テレビ置き台１２が下から押され、主回転テレビ置き台１２の骨材６１が円柱軸柱１３を折って、円柱軸柱１３が避難スペ−ス６５（図５）の中に折れ曲がらないようにする。
【００２９】
すなわち、図７に示すように、フレームＦの下部を構成するＨ鋼２の上に、円柱軸柱軸ボルト３１によって取り付けられるベアリング３０に対し、ベアリング受鋼板２９を介して、円柱軸柱１３が回転自在に載置される。この円柱軸柱１３に対して、連結ボルト２８によりテレビ受け台連結鋼板３２が固定され、この鋼板３２に対して、円柱軸柱破損防止軸ボルト３３および弱い木クギ３４並びに鋼板３２の一部により、主テレビ置台骨材６１が固定される。そして主テレビ置台骨材６１により主回転テレビ置き台１２が底面を支持される。  
平面図である図１２に示すように、円柱軸柱１３に対して連結ボルト２８によりテレビ受け台連結鋼板３２が固定される。このテレビ受け台連結鋼板３２に保持された主テレビ置台骨材６１が、他の連結ボルト２８により固定される。そして主テレビ置台骨材６１により主回転テレビ置き台１２が底面を支持される。
【００３０】
そして、図７（Ｂ）に示すように、床などにより主回転テレビ置き台１２が下から押されると、主回転テレビ置き台１２は金属製の軸ボルト３３を軸に回転し、木クギ３４は避難装置本体の重さ等により引きちぎれ、主テレビ置台骨材６１の根本が容易に屈曲して移動し、円柱軸柱１３が折れることはない。
【００３１】
［主回転装置扉１５および副回転扉１６］
避難空間６５の中に人間（図３）が入り、主回転装置扉１５は主回転テレビ置台１２と一体になって移動し、人間が副回転扉１６（図２）を手動で閉める。また、副回転扉１６は副回転扉円柱１８周りに開閉でき、後から入って来る人の為に、内外から自由に副回転手動ロックレバー１９で開け閉め出来る。副回転扉１６のロックは手動式の副回転手動ロックレバー１９とする。
【００３２】
図５に示すように主回転装置扉１５および副回転扉１６は、内側から取り外せる脱出用取り外し鋼板窓３６を有して構成され、これらの脱出用取り外し鋼板窓３６（４カ所）は、この避難装置が倒れ障害物に当たって内側に外れて怪我をするのを防ぐ為に、外側のみに外れる構造とし、外した後には、斜めにする事により内側に引き込んで取り外せるようにする。
【００３３】
［操作方法］    
図1に示すように、平常時は、副回転扉１６、主回転装置扉１５と一体になっている主回転テレビ置台１２は、所定の場所に収納、固定ロックされている。
操作は、同時に設置される地震Ｐ波関知装置の警報、又は緊急地震放送などからの警報を関知したら、行う。
まず、図９（Ｂ）に示すように、通常状態ロック装置Ｒ１の作動テコ２１を手前に引くと、蝶番２４を軸に作動テコ２１が持ち上がり、ロック解除ワイヤー２３で、フック２５がフック受け２６から外れ、ロックが解除される。図2に示すように、このロックが解除された主回転テレビ置き台１２は、円柱軸柱１３を軸に、惰性で回転装置ストッパー１４まで回転水平移動し、同時に上下自動ロックされ即、中に避難出来る。
【００３４】
そのままでも十分安全は確保出来るが、念の為、副回転扉１６を、副回転手動ロックレバ−１９にて、図２の状態に閉め、固定定位置でレバ−１９を離せば上下ロックされ、より安全が確保される。
【００３５】
［脱出のためのスペース］
副回転扉１６に付いている補助扉２０（図５）は状況により開け閉めする。開けることで、非常脱出空間６０を確保できる。
本体は転倒防止用天井押さえ台１０を、天井押さえ調整ボルト１１にて天井５５に押し上げ固定しているので、地震で転倒しないが、万一建物が倒壊してその中に本体が転倒埋もれても、次に、列挙する脱出のためのスペースより脱出出来る。すなわち、副回転扉補助扉２０（図５）、副回転扉１６（図２）、天井脱出用円板３５（図１）、脱出用取り外し鋼板窓３６（図５、４カ所）、壁面二面ではクロス筋交角パイ８の間、である。
天井脱出用円板３５は、２つ割円板で、内側からの弱い力で割れ、開くものにする。
【００３６】
［下部自動ロック装置Ｒ２］                                          
下部自動ロック装置の説明を行う。                      
主回転テレビ置き台１２は、通常、図１の位置に固定、収納されている。
上述したように、図９（Ｂ）に示すように、作動テコ２１を手前に引くと、蝶番２４を軸に作動テコ２１が持ち上がり、ロック解除ワイヤー２３で、フック２５がフック受け２６から外れ、ロックが解除される。図2に示すように、このロックが解除された主回転テレビ置き台１２は、円柱軸柱１３を軸に、惰性で回転装置ストッパー１４まで回転水平移動する。
【００３７】
そして、図１０に示すように、ロック操作板４０に一体に設けられたロック受け板４１が、が回転装置ストッパ−１４（図１参照）に当たると、ロック操作板４０が惰性で移動し、ロック棒３９が自重で、ロック棒受け４２の下部に落下して固定される。このロック装置は、ほぼ同じ場所左右に２本セットされており（図３参照）同時に２本自動固定される。
【００３８】
下部自動ロック装置を解除する場合には、図10に示すワイヤ−４４を持ち上げるとロック操板４０のロック受け板４１が、スプリングの力でロック棒３９の下まで移動し、ロック棒３９が落ちなくなるので、ロックが解除される。
【００３９】
［上部自動ロック装置Ｒ３］                                          
上部自動ロック装置の説明を行う。
図１，図2に示すように、主回転テレビ置き台１２とともに回転水平移動する自動ロックＨ鋼柱３が、回転装置ストッパ−１４に当たると同時に、図１１に示すように、自動ロックＨ鋼柱３に付いている操作板作動指示材５３が、ロック操作板４８に当たり、惰性でロック操作板４８が移動する。同時にロック棒４６が案内筒４７の下部まで自重落下して自動固定される。  
上部自動ロック装置を解除する場合には、ロック解除棒５０を図１１（Ｂ）の位置まで指で引き上げると、操作板４８が、スプリング止め６４に一端が止められたスプリング６３の力で、ロック棒４６の下まで移動するので、ロック棒４６が落下しなくなり解除される。ロック解除棒５０は、ロック解除棒支持材４９、５１に開けられたガイド孔により上下方向にガイドされ、下方のロック解除棒受け板５２により荷担を支持される。
【００４０】
「実施形態の効果」
この実施形態によれば、以下の効果を有する。
（１）家屋内のコ−ナ−部にぴったりと設置できる直角二等辺三角柱形状の装置本体と、天井を押さえて設置を行う押圧装置と、により、既存の家屋に傷を付けずに設置できる。すなわち、室内緊急避難装置は分解して部屋に搬入出来、壁、床、天井等にクギ1本打たず、穴、傷等一切つけずに設置出来る。また、押圧装置により、地震等で装置本体が転倒しにくい。
【００４１】
（２）また、装置本体内に収納された状態の主回転テレビ置き台に、通常は、テレビなどを置くことで、避難スペースを普段から無用に空けておかなくても済む。そして、緊急避難時には、この主回転テレビ置き台を、テレビなどを置いた状態のまま、軸柱の周りに回転水平移動して、装置本体外へ引き出した状態にすれば、装置本体内部に直ちに避難スペースを確保できる。
【００４２】
すなわち、換言すれば、この室内緊急避難装置は、従来からテレビなどを置く、家屋のコーナー部を利用できるので、新たに置くスペ−スを必要としない。よって、室内緊急避難装置を設置しても、その分部屋が狭くなるということがない。部屋のコ−ナ−等に置くべきテレビ（その他の用品等）も、この室内緊急避難装置の位置に置ける。大型の薄型テレビ等も置ける。室内緊急避難装置が、テレビ置台等として用いられるので、装置の前に物を置かれる事が無い。
【００４３】
（３）さらに、装置本体が倒れる場合には、引き出された状態になる主回転テレビ置き台が、床などにより下から押されると、安全装置により根本から容易に屈曲する。よって、引き出された状態になる主回転テレビ置き台が、軸柱を折ることがなく、装置本体が破壊されるリスクを小さくできる。
【００４４】
（４）さらに、装置が倒れても、天井脱出用板、主回転装置扉、副回転扉、または副回転扉補助扉により、避難スペースを確保できる。すなわち、万一、家屋と装置が一緒に倒れても、装置は壊れず、又どの方向に倒れても障害物が有っても、装置本体の各部から安全に脱出できる。
【００４５】
（５）装置自体が十分な構造強度を有することで、強度の地震等で木造家屋が倒壊し、室内緊急避難装置が倒壊家屋に埋もれても、室内緊急避難装置は破損されず、その中に居る人命が怪我をせず、安全に脱出出来る。室内緊急避難装置は、角鋼材及びＨ鋼鋼材を使用し、衝撃、引張強度に強い溶接、ボルト繋ぎをするので、倒壊時に破壊されにくい。
【００４６】
（６）この室内緊急避難装置は、分解して室内に持ち込みボルトナットで組み立てる。
（７）サイズやデザインも現場に合わせて製作出来、撤去も簡単に出来る。
（８）テレビ等置き台は、回転し、普段は収納されているＨ鋼柱付き扉が、ワンタッチで手前に引かれた動作により置き台と共に所定の位置に自動ロックされる。そして、ライト点灯と共に避難スペ−スが確保される。そして、避難スペ−スに入った人間が副扉を閉める事により安全なスペ−スを確保出来、後から入ってくる人間５７（子供も含めて）（図３参照）も簡単に出入り出来る。このため女、子供でもワンタッチの操作で避難スペ−スを確保し、その避難スペ−スへは立ったままの姿勢で逃げ込める。避難スペ−スは、最低親子４〜５人が同時に避難出来る。
【００４７】
（９）自動ロックは簡単に解除でき  平常時に避難の練習が簡単に出来る。
（１０）室内緊急避難装置は市販のＰ波感知機器を備え緊急避難放送と合わせて事前に避難出来る。
「他の実施形態」
以上の実施形態では、主回転テレビ置き台１２の回転移動の中心となる円柱軸柱１３は、装置のフレーム７を構成する上部のＨ鋼２と下部のＨ鋼２との間に、１本ものとして実体的に配置されるものであったが、他の実施形態では、図８に示すように、上下に分割されて部分的に配置されるものでもよい。
【００４８】
すなわち、主回転テレビ置き台１２の一部を構成する自動ロックＨ柱鋼３に対して、アングル７４を設ける。このアングル７４の上部を、フレーム７上部のＨ鋼２に対し、補強材６７を介して回転軸ボルト７２により回動可能に取付ける。また、アングル７４の下部を、フレーム７下部のＨ鋼２に対し、短い回転軸装置ＳＣにより回動可能に取付ける。
【００４９】
回転軸装置ＳＣは、アングル７４の下部に対し所定の間隔を開けて、２カ所に一対の円鉄板カット軸受け材６６、更に補強材６７が取付けられる。両円鉄板カット軸受け材６６の間にカット軸受材補強筒７１が固定される。また、上部のＨ鋼２と下部の間に設けられる柱角パイ１に設けた軸受け材６５と、下部のＨ鋼２に設けた軸受け材との間に、上記円鉄板カット軸受け材６６、更に補強材６７を、挟み込む。そして、これら軸受け材６５、軸受け材、円鉄板カット軸受け材６６、補強材６７に開けられたボルト孔を介して、カット軸受材補強筒７１及びベアリング７３へ軸ツナギボルト６８が貫通され、ナット６９によって固定される。
【００５０】
この回転軸装置ＳＣの軸である軸ツナギボルト６８は、回転軸ボルト７２の軸と同心であり、これにより、仮想的な軸柱の上下端を部分的に構成する。
【図面の簡単な説明】
【００５１】
【図１】この発明の一実施形態に係る室内緊急避難装置の通常使用時の全体図である。
【図２】図1の緊急避難時の全体図である。
【図３】（Ａ）は図1の要部を示す水平断面図、（Ｂ）は図２の要部を示す水平断面図である。
【図４】図1のフレーム全体図である。
【図５】図２のフレーム全体図である。
【図６】図４の要部を示す水平断面図である。
【図７】（Ａ）は図２の主回転テレビ置き台の根本に設けられ、容易に屈曲する安全装置を示す側面図、（Ｂ）は（Ａ）の安全装置が機能した状態を示す図である。
【図８】他の実施形態において図２の主回転テレビ置き台の根本の回転機構を示す図である。
【図９】図１の主回転テレビ置き台が装置本体内に収納された通常の状態をロックする通常状態ロック装置を示すもので、（Ａ）はロック状態の側面図、（Ｂ）はロックが解除された状態の側面図である。
【図１０】図２の引き出された状態の主回転テレビ置き台をロックする下部自動ロック装置を示すもので、（Ａ）はロック状態の側面図、（Ｂ）はロックが解除された状態の図である。
【図１１】図２の引き出された状態の主回転テレビ置き台をロックする上部自動ロック装置を示すもので、（Ａ）はロック状態の側面図、（Ｂ）はロックが解除された状態の側面図、（Ｃ）は（Ｂ）の平面図である。
【図１２】図７（Ａ）の安全装置の平面図である。
【符号の説明】
【００５２】
Ｓ  室内緊急避難装置        Ｆ  フレーム    Ｐ  押圧装置    Ｔ  テレビ
Ｒ１  通常状態ロック装置    Ｒ２  下部自動ロック装置    Ｒ３  上部自動ロック装置ＳＦ  安全装置            Ｂ  張出部
１柱角パイ    ２  Ｈ鋼      ３  自動ロックＨ鋼柱
５  筋交角パイ  ６  クロス筋交固定ボルト    ７  筋交い鋼板
８  クロス筋交角パイ    ９  Ｈ鋼連結材    １０  転倒防止用天井押さえ台
１１  天井押さえ調整ボルト    １２  主回転テレビ置き台
１３  円柱軸柱    １４  回転装置ストッパー  １５  主回転装置扉
１６  副回転扉    １８  副回転扉円柱  １９  副回転手動ロックレバー
２０  副回転扉補助扉    ２１  作動テコ    ２２  作動用円柱
２３  ロック解除ワイヤー    ２４  蝶番    ２５  フック
２６  フック受け    ２７  スプリング  ２８  連結ボルト
２９  ベアリング受鋼板    ３０  ベアリング    ３１  円柱軸柱軸ボルト
３２  テレビ受け台連結鋼板    ３３  円柱軸柱破損防止軸ボルト
３４  木クギ    ３５  天井脱出用円板    ３６  脱出用取り外し鋼板窓
３９  口ツク棒    ４０  ロック操作板    ４１  ロック受け板
４２  ロック棒受け案内筒  ４３  スプリング  ４４  ワイヤ−
４６  ロック棒    ４７  ロック棒案内筒    ４８  口ツク操作板
４９、５１  ロック棒支持材    ５０  ロック解除棒
５２  ロック解除棒受け板    ５３  操作板作動指示材  ５４  壁
５５  天井  ５６  床    ５７  人間    ５８  自動点灯ライト
５９  ドア    ６０  非常脱出空間  ６１  主テレビ置台骨材
６２  円柱Ｈ鋼柱連結材    ６３  スプリング  ６４  スプリング止め
６５  避難空間  ６６  円鉄板カット軸受け材
６７  補強材      ６８  軸ツナギボルト    ６９  ナット
７０  ワッシヤ    ７１  カット軸受材補強筒    ７２  回転軸ボルト
７３  ベアリング    ７４  アングル  ７５  ボルトナット
【図１】
2010043490.tif 000003
【図２】
2010043490.tif 000004
【図３】
2010043490.tif 000005
【図４】
2010043490.tif 000006
【図５】
2010043490.tif 000007
【図６】
2010043490.tif 000008
【図７】
2010043490.tif 000009
【図８】
2010043490.tif 000010
【図９】
2010043490.tif 000011
【図１０】
2010043490.tif 000012
【図１１】
2010043490.tif 000013
【図１２】
2010043490.tif 000014